(57)【特許請求の範囲】
【請求項１】
所定の室内の床と天井側の各４隅に，柱，根太，梁の３筒受間を鉛直な三角錘状に一体に固定した上隅継手（Ｂ）を各自材の外郭面と壁間にナットを螺号するに相当の隙間を余して配し，天井間には上根太継手（Ｆ）相当の高さを更に余し，床面の４隅には上隅継手（Ｂ）と同様な形状の下隅継手（Ｃ）を配し，各自材の外郭面と壁間に，上隅継手（Ｂ）におけると同じ隙間を余し，筒受（１）の一方の枠板（３）又は底板（２）の中間位に筒受け（１ｃ）を鉛直に組み合わせた縦鍵継手（Ｅ）とＴ形継手（Ｄ）又はＬ形継手（Ａ）により間柱（４）を梁（５）及び根太（６）間にそれぞれ連結し，その上側直交方向両端の梁（５ａ）に載置筒（Ｆ１）に筒受（１ｄ）をＴ形に組む合わせた上根太継手（Ｆ）を載置し固定枠（Ｆ２）により梁（５ａ）に固定し上根太（５１）を架設して連結し，各柱（４）が長尺の構成においては筒受（１）の左枠板（３）又は右枠板（３）の中間位に筒受（１ｂ）を筒受（１）とは開き側を逆向き，かつ鉛直に組み合わせ，該中間位に鉛直面をなす底板（２）の中間位に他の筒受（１ｂ）を開き側が鉛直に対向する形状に組み合わせてなる左右対称各２組の横鍵継手（Ｇ），及び筒受（１）の中間位に２本の筒受（１ｂ）を十形に組み合わせた十形継手（Ｈ）を各柱（４）の中間位に固定し各貫（４ｈ）をそれぞれ連結し，出入口の両柱（４）筒受に敷居板（Ｊ１）の両端に筒受掛（Ｊ２）を一体に立上げた敷居継手（Ｊ）を連結し，隣接する梁（５）と梁（５ａ），梁（５）及び梁（５ａ）と柱（４），根太（６）と柱（４）間に隅斜掛（７）を連結し構造体を組み立ててなる家屋の耐震補強構法。
【請求項２】
上隅継手（Ｂ）の柱筒受を開き側を外向き，かつ所定の長さに形成し同筒受に梁筒受と同形状及び機能を有する筒受（１ｂ）を組み合わせて上隅重継手（Ｍ）とし両上隅重継手（Ｍ）間に梁（５）及び控梁（９）を連結し，同両梁（５）（９）間に所定の間隔をおいて束（４ｉ）を連結し，下隅継手（ｃ）の柱筒受を上隅継手（Ｂ）におけると同様に形成し根太筒受を開き側を下向きに配し上隅重継手（Ｍ）と対称に柱筒受に筒受（１ｂ）を組み合わせた下隅重継手（Ｎ）間に根太（６），控根太（１０）を連結し，同根太（６）（１０）間に束（４ｉ）を連結し構造体を組み立ててなる請求項１記載の家屋の耐震補強構法。
【発明の詳細な説明】
【０００１】
【発明の属する技術分野】
本発明は，家屋の耐震強化に関し，所定の室内の隅線，壁及び天井面に沿って根太，柱，梁からなる線材を簡便な連結具で構造体に組み立て家屋の耐震力を強めるものである。
【０００２】
【従来の技術】
従来の耐震補強法は基礎コンクリートと土台及び柱側面に鉄板をあてがい，ボルトで締結する。又は柱基部と土台をＬ形鉄板で連結するものであり柱を挺子とみなすと連結材の位置は支点が先端に近く衝撃の分散ないし吸収に適するものではなかった。
【０００３】
【発明が解決しようとする課題】
地震による家屋の倒壊は直接には横揺れにより，柱に上からの荷重が挺子の作用によって柱と梁，柱と土台の連結部を破壊し同時に起る複雑な多方向の揺れが捻れ作用を増幅し倒壊に到るものであった。従来，木造家屋の柱の連結は先端にほぞを設け，一方の柱に同型のほぞ穴を設け，そのほぞ穴にほぞを嵌合し楔，ボルト等で固定しかすがいを打ち込むものであった。ほぞにより線材を組立てる構法の主な問題点は，ほぞの断面積が線材自体の２５％程度に限定されるので，連結部が脆化する点にあった。
【０００４】
【課題を解決するための手段】
この発明は室内の床及び天井が壁となす上，下の隅線及び天井に沿って梁及び根太を，壁と壁の夾角がなす隅線及び各壁に沿って柱を，出入口には敷居継手の筒受掛を両側の柱筒受に連結し固定する。各隅には隅斜掛を取付ける。各線材は中空の綱材又はそれに準ずる硬度と靱性を有する材質であり連結具の内径は線材の外径に相当し線材の先端又は中間部分を筒受の内側に嵌合しボルトで連結する構成である。
【０００５】
【作  用】
請求項１においては上記のように天井及び床の各４隅に上隅継手及び下隅継手をそれぞれ配し，天井の隅線に配する梁及び隅の柱はその端部を上隅継手の横及び縦方向の各筒受に嵌合しボルトで連結する。床に配する根太及び隅の柱は下隅継手の根太及び柱の各筒受に嵌合し，出入口においては両側の柱を固定した両柱筒受間に敷居継手を配し両筒受掛により連結する。各中柱は縦鈎継手及びＬ形継手又はＴ形継手により連結する。上根太は縦鈎継手及びＴ形継手により，又は上根太継手により連結する。床と天井間が高い室内においては各柱の中間位に横鈎継手及び十形継手を固定し貫を連結する。室内に所期の耐震構造体を組み立てることができる。
【０００６】
請求項２においては，図１３及び図１４に示す上隅重継手及び下隅重継手を該室内の上，下４隅に配し上，下の各継手間に梁と控梁，根太と控根太をそれぞれ連結し各梁間及び各根太間に所定の束を固定する。２重の梁及び根太を壁の上下に廻らした簡略な構造体となる。なお，荷重に対応し，間柱を立て又は４隅の柱を各２本とする構成としてもよい。
【０００７】
【実施例】
実施例について図面を参照して説明する。図１はＬ形継手Ａであり，展開図に示すように筒受１の２倍に相当の筒受を長手中間位で横断線上の両枠板３を分離し，同分離端の基点から底板２の両側端に沿って根太筒受後端方へ略底板２の幅相当の長さを分離した自由端を平行のまま自体の厚み相当に基線上で外側へ段差をつけて拡幅して枠板片３ｇとし，全長に亘って両枠板３を底板２の両側端に鉛直に立ち上げ，両枠板３の開き側を対向し，底板２を両枠板３ｇ横断線上で鉛直に曲げ両枠板片３ｇを柱筒受の両枠板３の外側に重合し溶接している。
【０００８】
図２は筒受１である。その横断面はコ形の溝状であり内径は線材の外径に同じであり，底板２及び両枠板３が同幅の３面を有し，展開図に示すように一端を陵線にそって略正方形の底板片２ｆと両枠板片３ｇの取付片として２〜３本の筒受を組み合わせ，又は筒受１本体に１〜２本の筒受を組み合わせてそれぞれ継手を構成し線材を嵌合しボルト８で連結する。
【０００９】
図２−１は筒受１に筒受蓋１ｕを被覆しボルト８による固定の方法を示す拡大図である。筒受蓋１ｕに関しては，２本の線材を直列に連結する直継手には筒受蓋１ｕ及び筒受１のいずれも長さは２倍以内が好ましい。他の継手に用いる筒受蓋１ｕは該筒受１より取付片の長さ相当分短かく形成する。筒受蓋１ｕの主たる機能は連結の固定力を強める点にある。筒受蓋１ｕの採否に関しては，筒受及び線材だけの強度を１体の構成として特定する方式ならば使用せず，筒受蓋１ｕを加えた構成として特定する方式ならば使用する。  他の図面においてボルト８の表示は省略し，図１２，図１５を除く太線の各継手に「・」でボルト８の使用部位を示す。
【００１０】
図３は上隅継手Ｂであり，Ｌ形継手Ａを横向きに配しその角部下面に，筒受本体１ａ′又は同１ａを鉛直に配し，該筒受本体の底板片２ｆ及び左又は右の枠板片３ｇを厚み相当に拡幅し，記述の順に，他の右又は左の枠板片３ｇを内側に鉛直に曲げた筒受１ａ′及び同１ａを配し各取付片をそれぞれ溶接し両上隅継手Ｂを左右対称に構成している。
【００１１】
図４は下隅継手Ｃであり，Ｌ形継手Ａの角部左右のいずれかに筒受１ａ又は筒受１ａ′を柱４，根太６の両筒受に鉛直に配し３取付片を溶接し両筒受１ａ，１ａ′を対称とする２つの下隅継手Ｃを構成している。
根太筒受の開き側が上向きの構成は上隅継手Ｂを上下対称に配し，根太を横方から嵌合する構成にかえてもよい。それには根太筒受及び根太６と床間に詰板を嵌め上側からボルトを挿着し根太筒受と床間にナット８ｋを扱うに相当の間隙を空けておく。
【００１２】
図５はＴ形継手Ｄであり，筒受１に筒受１ｂを組み合わせている。筒受１ｂは底板片２ｆを内向きに鉛直に，両枠板片３ｇを両外側にそれぞれ鉛直に曲げている。Ｔ形継手Ｄは筒受１を横向きに，その下側枠板３の中間位に筒受１ｂを鉛直かつ開き側を筒受１のそれと逆向きに，又は筒受１の開き側と同じ向きに３取付片を重合して溶接し柱筒受が対称な２組のＴ形継手Ｄを構成している。第３のＴ形継手は，筒受１の底板中間位に筒受１ｂを鉛直に配し３取付片を溶接しＴ形継手Ｄ１としている。
【００１３】
図６は縦鈎継手Ｅであり，Ｔ形継手Ｄと筒受１ｃを組み合わせている。即ち，筒受１ｃは両枠板片３ｇを外側へ枠板３の厚み相当に段差をつけて拡幅し底板片２ｆを内側へ鉛直に曲げてあり，Ｔ形継手Ｄの３叉部位に鉛直に筒受１ｃを開き側を左又は右方へ横向きに配しＴ形継手Ｄの底板２には自体の底板片２ｆを，両枠板３には自体の両枠板片３ｇをそれぞれ重合して溶接している。筒受１ｃの開き側を逆向きに配した２組の縦鈎継手Ｅを構成している。
【００１４】
図７は上梁継手Ｆであり，線材と同径で長さが筒受１に相当の載置筒Ｆ１の中間位に，筒受１の両枠板片３ｇは直なままであり底板片２ｆのみを内側に鉛直に曲げてなる筒受１ｄを鉛直，かつ開き側を右又は左へ横向きに配し各取付片を該載置筒Ｆ１の３側面にそれぞれ溶接してあり，筒受１ｄの開き側を対称に配した２組の上梁継手Ｆを構成している。固定枠Ｆ２は自体の底板２の内径及び長さが載置筒Ｆ１の外径及び長さに相当であり，該両枠板３は上下の幅が載置筒Ｆ１の外径の略２倍相当に取付片の厚みを加えたに相当し梁５の下方から梁５及び載置筒Ｆ１に嵌合し自体の枠板３の，筒受１ｄに当接する部位を方形に切欠き，嵌合した位置で固定枠Ｆ２の両枠板３と梁５及び載置筒Ｆ１に共通のボルト穴８ｎを設けている。
【００１５】
図８は横鈎継手Ｇであり，縦向きの筒受１の左枠板３又は右枠板３の中間位に筒受１ｂを開き側を筒受１のそれとは逆向きに配して溶接し，底板２の中間位に前述の筒受１ｂの開き側と自体の開き側を鉛直に対向に配して溶接し横鈎継手Ｇをそれぞれ対称に構成している。横鈎継手Ｇは壁面に沿う両隅柱４においては対称な，異なる組み合わせの各一対を，対角位の両隅柱４においては同じ組み合わせの各１組を目安にそれぞれ固定する。
【００１６】
図９は十形継手Ｈであり，縦に配した筒受１の両枠板３中間位に鉛直に２本の筒受１ｂをそれぞれ筒受１とは開き側を逆向きに，又は筒受１と開き側を同じ向きに配し各取付片を重合して溶接し筒受１ｂの開き側が対称な２組の十形継手Ｈを構成している。
【００１７】
図１０は敷居継手Ｊであり敷居板Ｊ１長手方向の両端部を両側の柱筒受に当接する部位で鉛直に立上げ両柱筒受の対向面及び室内面に当接する形状にいずれも両枠板を鉛直に曲げて両筒受掛Ｊ２とし自体の枠板が根太筒受に当接する部位を切欠いている。筒受掛Ｊ２の基端部は両柱筒受の対向面と略同幅の下端部で連なっている。該筒受の強度に対応し自体の厚みは取付片のそれの３〜４倍相当とすることが好ましい。敷居継手Ｊの間口の幅は原状の間口に限定されない。
【００１８】
図１１は隅斜掛７であり，夾角をなす２線材，即ち隣接する梁５と梁５，柱４と梁５，柱４と根太６間に斜に掛け渡している。隅斜掛７は自体の両枠板３の内径が線材の外径に相当し，斜めに渡す本体７は所定の長さを有し両枠板３の幅は底板２のそれと略同幅であり両端部が線材の両側面を，２〜３本のボルト８を線材にそって挿着するに相当の幅に形成し，枠板３及び両線材に共通のボルト穴８ｎを設けている。
【００１９】
枠板両端の構成は，それに筒受１を開き側を外向きに所定の角度で該両端部に配し，筒受１の中間位両枠板３に該枠板３を拡幅して溶接し，両筒受１を各線材に固定する構成としてもよい。隅斜掛７は径間の大小に応じ長，短尺に構成することが好ましい。両隅斜掛７の取付部位は該線材上に直列に配設する。
【００２０】
図１２は本構造体の組み立て例を示す。上述の各連結具を用いて各線材を次のように組み立てる。柱４の上端部及び下端部を上隅継手Ｂ及び下隅継手Ｃの柱筒受に嵌合しボルト８で固定する。上隅継手Ｂは自体の上面と天井間は上根太継手Ｆを梁上に載置するに相当の間隙を余して配設する。
梁５の連結は，両上隅継手Ｂの両筒受に梁５を嵌合し，その下側枠板３からボルト８を上側枠板３に挿着し天井との隙間においてナット８ｋにより連結する。
根太６の連結は，両根太筒受に根太６を上側から嵌合しボルト８を横方向に内側枠板３から外側枠板３に挿着し，外側枠板３と壁間にナット８ｋを配し連結する。他の各連結具においても両枠板３の各ボルト穴８ｎに所定の線材のボルト穴８ｎを同じ軸線上に合わせ，梁回りにおいての挿着方向は下側から上側へ，柱４の中間位に固定する横鈎継手Ｇ及び十形継手Ｈ等においてはボルト８の挿着を上下いずれかの方向に揃えて連結する。
【００２１】
間柱４は，梁５に縦鈎継手Ｅ又はＴ形継手Ｄを，根太６にＴ形継手Ｄ１を上下逆向に嵌合して連結し天井に沿ってかける上根太５ｂはそれに対応する縦鈎継手Ｅを，その上側にかける上根太５１は上根太継手Ｆを壁に沿う梁上に載置し固定枠Ｆ２を用いて固定し上根太を順次嵌合し連結する。根太６と梁５間が高く柱４自体に補強を要する例として横鈎継手Ｇ，十形継手Ｈをそれぞれ隅の柱４及び中柱４に掛止して固定し各筒受に貫４ｈを連結する。敷居継手Ｊは出入り口両側に配した柱筒受に両筒受掛Ｊ２を連結する。隅斜掛７の取付けは，梁５と梁５，柱４と梁５，柱４と根太６それぞれに斜辺となる形状に両端を当接し各線材と両枠板３の両端部をボルト８により連結する。壁に窓等があれば隅斜掛７を取付ける「隅」は壁面の４隅に限定せず間柱４と梁５又は根太６との隅である。
【００２２】
各継手を組み合わせての固定は取付片の溶接だけで示しているが，溶接によるひずみ及び劣化の一面があることは無視できない。試行の上で，溶接によらずボルト８により固定することも想定できる。そのボルト穴８ｎは取付片の対角線上の各端部の４点が適当である。図面は省略する。
【００２３】
図１３は上隅重継手Ｍであり、上隅継手ＢにおけるＬ形継手Ａは原状のまま横に平に，柱筒受１ｆは本体を長く，開き側を該室外へ外向きに変えてあり自体の底板２の面が右側梁筒受に鉛直に配設してあれば該筒受１ｆの取付片は左枠板片３ｇ及び底板片２ｆは外側へいずれも鉛直に曲げ右枠板片３ｇは拡幅し３取付片をそれぞれＬ形継手Ａの角部に溶接し同柱筒受１ｆの，上下の梁筒受，控梁筒受間の長さを筒受１の２倍未満とし同筒受１ｆの底板２及び左枠板３の所定の部位にそれぞれ両筒受１ｂを同一線上に開き側を内向きに鉛直に対向し各３取付片を溶接し，該筒受１ｆの下端部に底板２の幅２倍相当の長さを余す部位と該梁筒受枠板３間の上，下所定の部位にそれぞれボルト穴８ｎを設けている。
【００２４】
上述の上隅重継手Ｍと対の構成となる柱筒受１ｆ′は３取付片を筒受１ｆのそれと対称に設ける。即ち，右枠板片３ｇ及び底板片２ｆは外側へいずれも鉛直に曲げ，左枠板片３ｇは拡幅して３取付片をＬ形継手Ａの角部に溶接し，両筒受１ｂは同筒受１ｆ′の底板２及び右枠板３に開き側を鉛直に対向し各３取付片を溶接する。
梁筒受と控梁筒受の間隔を筒受の２倍以上に構成する場合は上隅継手Ｂの下側柱上に所定の間隔をおいて横鈎継手Ｇを，束４ｉにはＴ形継手Ｄを対称に配し両筒受１ｂ間に同尺の連結筒４ｊを嵌合し共通のボルト穴８ｎを設け連結する。
【００２５】
図１３−１は梁５と控梁９の間に連結する束４ｉであり，自体の上，下に２本の筒受１を平行に，開き側を外向きに梁５，控梁９の間隔をおいて配し両筒受１，１の直近に対向する枠板３の両中間位に束４ｉを開き側を外向きに，上，下端部の各枠板片３ｇを外向きに鉛直に，底板片２ｆを内向きにそれぞれ鉛直に曲げ溶接している。両筒受１の枠板３の両端部にボルト穴８ｎを，それが当接する梁５及び控梁９の所定の部位にボルト穴８ｎを設けている。
【００２６】
図１４は下隅重継手Ｎであり，その柱筒受１ｈを下隅継手Ｃのそれとは逆に開き側を外向きに，根太筒受１ｃは開き側を下向きに配している。柱筒受１ｈは本体が上隅重継手Ｍのそれと同尺であり，両枠板片３ｇは両先端半部を分離して内向きに鉛直に曲げ，同底板片２ｆは内向きに鉛直に曲げ半切の両枠板片３ｇに重ねて溶接し，筒受１ｃの開き側を下向きに筒受１ｈの下端部に配し同下端部の底板２及び両枠板３に３取付片をそれぞれ溶接しＬ形長継手ＡＬを構成している。その角部左右の，筒受１ｃの左枠板片３ｇに面しては筒受１ｋ′を，又は同右枠板片３ｇに面しては筒受１ｋを鉛直に配し３取付片を溶接し２組の根太筒受を構成している。筒受１ｋは底板片２ｆと右枠板片３ｇを外向きに，左枠板片３ｇを内向きにいずれも鉛直に曲げ，筒受１ｋ′は底板片２ｆと左枠板片３ｇを外向きに右枠板片３ｇを内向きに鉛直に曲げ筒受１ｃの左，右角部に溶接している。
【００２７】
控根太筒受は，筒受１ｋを配した柱筒受１ｈの底板２と左枠板３に２本の筒受１ｂを開き側を鉛直に対向し上隅重継手Ｍにおける梁５，控梁９間に対称となる間隔をおいて各３取付片を溶接している。一方，筒受１ｋ′を配した筒受１ｈにおいては底板２と右枠板３に上述の方式によって２本の筒受１ｂを配して組み合わせ各３取付片を溶接している。かくして，柱筒受１ｈに筒受１ｋ及び同１ｋ′を対称に配した２組の下隅重継手Ｎを構成している。各ボルト穴８ｎも上隅重継手Ｍに対称に設けている。
【００２８】
図１４−１は束４ｉと連結筒４ｊであり，根太６と控根太１０間に連結する。束４ｉ本体は中間位で２分し，その上半部は上梁重継手Ｍの束４ｉのそれと同構成であり，同束４ｉの下半部は筒受１の開き側を下向きに配したＴ形継手Ｄと同構成であり２分した両束４ｉそれぞれの両枠板３の少なくとも各２点にボルト穴８ｎを設けそれが当接する連結筒４ｊの各部位にボルト穴８ｎを設け連結する構成である。束４ｉは先に下半部を，次に上半部を固定連結するのが順当である。
【００２９】
図１４−２はＬ形隅継手Ａ１であり筒受１ｈと筒受１ｂ及び筒受１ｖを組み合わせている。筒受１ｖは筒受１の左枠板片３ｇを内向きに，底板片２ｆを外向きにいずれも鉛直に曲げ右枠板片３ｇは拡幅している。該Ｌ形隅継手Ａ１の構成は筒受１ｈの右枠板下端部に筒受１ｖを鉛直に配し３取付片を該筒受１ｈの右枠板３及び底板２にそれぞれ溶接し，筒受１ｂを筒受１ｈの開き側のそれと同じ向きに，右枠板３上側の控根太１０と同一線上に鉛直に配し３取付片を溶接している。
図示していないが，筒受１ｖと対称に右枠板片３ｇを内向きに，底板片２ｆを外向きにいずれも鉛直に曲げ左枠板片３ｇは拡幅して筒受１ｖ′を構成し，それを筒受１ｈの左枠板下端部に鉛直に配し，筒受１ｂを上述のＬ形隅継手Ａ１とは対称に左枠板上に配しいずれも各取付片を溶接することにより筒受１ｈの開き側が対称な２組のＬ形隅継手Ａ１がえられる。この構成は本構造体においては使用を想定していない。いずれの継手も取付片の構成と組み合わせにより自在に開き側の向きを変えて構成することができる。
【００３０】
図１４−３はＬ形中継手Ａ２であり，図１４構成のＬ形長継手ＡＬと筒受け１ｂを組み合わせている。即ち，Ｌ形長継手ＡＬ底板上の控根太１０を配するに相当の部位に筒受１ｂを鉛直に，同底板２を筒受１ｃの底板２と同一平面上に配し３取付片をそれぞれ溶接している。
【００３１】
図１５は上隅重継手Ｍと下隅重継手Ｎによる線材の組み立てを部分例により示す。即ち，鉤の手の２壁に沿って出入口を除く床の４隅間に根太６を配設し，予め柱筒受１ｈに柱４を連結した該下隅重継手Ｎを各４隅の根太６に，根太筒受を上から嵌合し連結する。各控根太筒受間には控根太１０を連結し根太６，控根太１０上の所定の部位に，根太６には束４ｉ下半部の筒受１を上側から嵌合してボルト８で固定し，控根太１０には束４ｉ上半部の筒受１を内側から嵌合しボルト８で固定して上，下の両束４ｉの両枠板３間に筒４ｊを嵌合してボルト８で連結している。各上隅重継手Ｍは柱４の上端部に嵌合してボルト８で固定し両上隅重継手Ｍ間にそれぞれ梁５及び控梁９を嵌合しボルト８により連結し，梁５，控梁９間の所定の部位に束４ｉを嵌合しボルト８により連結している。敷居継手Ｊは両筒受掛Ｊ２を出入囗の両柱筒受に連結している。隅斜掛７は両梁５間に連結している。
【００３２】
筒受の両枠板３，３と左右の枠板片３ｇ，３ｇの位置関係は，［図２］を例に，筒受本体から見て枠板片３ｇを頭部，枠板３の開き側を前と，右手，左手に準じ右枠板３，右枠板片３ｇ，左枠板３，左枠板片３ｇと呼称する。底板は単一なので，底板２，底板片２ｆと呼称する。
【００３３】
各継手の耐震強度は，特に衝動が集中する隅継手取付片の曲げ線上及び隅斜掛中間位横断線上の断面にかかるとし，単位量が小さいせん断応力を目安とする。
取付片の該断面積を３×８０ｍｍ，隅斜掛の該所面積を３×２４０ｍｍ，せん断応力を３０ｋｇ／ｍｍ２とする。両構造体の梁回りの強度を概算すると，
図１２の構造体においては
図１１の上隅継手Ｂは４組，１組の取付片は６片であり
上隅継手Ｂ４組のせん断応力Ｗ＝４×６×３×８０×３０＝１７２８００ｋｇＷ隅斜掛７は各梁５間に４本，各柱４と梁５間に８本の計１２本であり
そのせん断応力Ｗ１＝１２×３×２４０×３０＝２５９２００ｋｇＷ
梁回りのせん断応力Ｗ＋Ｗ１＝１７２．８＋２５９．２＝４３２ｔＷ
【００３４】
図１５の構造体においては
図１３の上隅重継手Ｍは４組，１組の取付片は１２片であり
同継手４組のせん断応力Ｗ＝４×１２×３×８０×３０＝３４５６００ｋｇＷ
隅斜掛７は各梁５間に４本であり
そのせん断応力は図１１のＷ１＝４×３×２４０×３０＝８６４００ｋｇＷ
梁回りのせん断応力Ｗ＋Ｗ１＝３４５．６＋８６．４＝４３２ｔＷ
【００３５】
上隅継手Ｂと上隅重継手Ｍに関わる梁回りの耐震強度はいずれも４３２ｔＷの数値を示している。両者の数値は偶然の一致である。上隅重継手Ｍによる構造体は控梁９を連結することにより上からの荷重にたいし応力が倍化している。いずれの構法をとるかは，施工対象が平屋であるか２階家であるか，該家屋の耐震強度及び内装等の条件に応じて決めることが好ましい。
各連結具の構成は互換性がある。
【発明の効果】
本発明は，上述のように構成されているので，次に記載する効果を奏する。
【００３６】
請求項１においては，鋼の強度を有し同じ型の線材と，それを嵌合するに相当の複数の筒受を組み合わせてなる連結具で室内に室自体は原状を維持しそれに内接する構造体を組み立てたことにより，家屋の耐震力を高めることができた。屋外におけるような風化の影響をうけないので耐久性にもすぐれている。
【００３７】
耐震基準に満たない家屋は通常，中古の木造家屋であることが想定されるので，そのような脆弱な家屋に部材の取替等の施工はなじまず補強機能を高めるにも難点がある。本発明により補強機能を有効に活用することができる。
【００３８】
請求項２における構造体は梁及び控梁と柱が壁面に截然と方形の空間を構成するので窓等の造作に適応し易く，又は壁の全面内装とするか，両梁，両根太及び柱だけを化粧箱で覆うかの，いずれにも対応し易い。
【００３９】
上述のように各連結具及び線材のいずれも構造が簡単であり規格化，工場内での量産化に適している。高度な技術を用いずとも該室内において容易に速く組み立てることができる。
【図面の簡単な説明】
【図１】Ａ  Ｌ形継手を示す左側面図
【図２】１  筒受を示す左側面図
【図２−１】１ｕ  筒受蓋の用例を示す左側面拡大図
【図３】Ｂ  上隅継手を示す正面図
【図４】Ｃ  下隅継手を示す正面図
【図５】Ｄ  Ｔ形継手を示す左側面図、  Ｄ１  Ｔ形継手を示す右側面図
【図６】Ｅ  縦鈎継手を示す左側面図
【図７】Ｆ  上梁継手とその用例を示す右側面図
【図８】Ｇ  横鈎継手の左，右対称例を示す正面図
【図９】Ｈ  十形継手を示す左側面図
【図１０】Ｊ  敷居継手とその用例を示す左側面図
【図１１】７  隅斜掛とその用例を示す左側面図
【図１２】構造体の組み立て例を示す正面図
【図１３】Ｍ  上隅重継手を示す正面図
【図１３−１】４ｉ  束を示す左側面図
【図１４】Ｎ  下偶重継手を示す正面図、
Ｎ−Ｐ  筒受１ｈの下端部分断面図
【図１４−１】４ｉ  束を示す左側面図
【図１４−２】Ａ１  Ｌ形隅継手を示す左側面図
【図１４−３】Ａ２  Ｌ形中継手を示す左側面図
【図１５】構造体の組み立て例を示す正面図
【符号の説明】
Ａ  Ｌ形継手            Ａ１  Ｌ形隅継手        Ａ２  Ｌ形中継手
Ｂ  上隅継手            Ｃ  下隅継手            Ｄ  Ｔ形継手
Ｄ１  Ｔ形継手          Ｅ  縦鈎継手            Ｆ  上根太継手
Ｆ１  載置筒            Ｆ２  固定枠            Ｇ  横鈎継手
Ｈ  十形継手            Ｊ  敷居継手            Ｊ１  敷居板
Ｊ２  筒受掛            Ｍ  上隅重継手          Ｎ  下隅重継手
ＡＬ  Ｌ形長継手        １  筒受                １ａ  筒受
１ａ′  筒受            １ｂ  筒受              １ｃ  筒受
１ｄ  筒受              １ｅ  筒受              １ｅ′    筒受
１ｆ  筒受              １ｆ′  筒受            １ｈ  筒受
１ｋ  筒受              １ｋ′  筒受            １ｕ  筒受蓋
１ｖ  筒受              ２  底板  片            ２ｆ  底板片
３  枠板                ３ｇ  枠板片            ４  柱
４ｈ  貫                ４ｉ  束                ４ｊ  連結筒
５  梁                  ５ａ  梁                ５ｂ  上根太
５１  上根太            ６  根太                ７  隅斜掛
８  ボルト              ８ｎ  ボルト穴          ８ｋ  ナット
９  控梁                １０  控根太
【図１】
0003764899.tif 000002
【図２】
0003764899.tif 000003
【図２−１】
0003764899.tif 000004
【図３】
0003764899.tif 000005
【図４】
0003764899.tif 000006
【図５】
0003764899.tif 000007
【図６】
0003764899.tif 000008
【図７】
0003764899.tif 000009
【図８】
0003764899.tif 000010
【図９】
0003764899.tif 000011
【図１０】
0003764899.tif 000012
【図１１】
0003764899.tif 000013
【図１２】
0003764899.tif 000014
【図１３】
0003764899.tif 000015
【図１３−１】
0003764899.tif 000016
【図１４】
0003764899.tif 000017
【図１４−１】
0003764899.tif 000018
【図１４−２】
0003764899.tif 000019
【図１４−３】
0003764899.tif 000020
【図１５】
0003764899.tif 000021